(57)【要約】  資源の有効利用を図りつつ、簡易な構成で、容易に組み替え（組み立て）が行える組立ベッドを提供する。  組立ベッドは、主たる構成部品として一対の長辺柵と、一対の短辺柵と、底部の構成材とを備え、一対の長辺柵と、一対の短辺柵とで囲い柵を形成し、この囲い柵と底部の構成材とを関連付けてベビーベッドを構成可能であり、このベビーベッドは各構成部品に分解が可能であり、底部の構成材はヘッドボードを形成自在なパーツを含み、分解した一対の長辺柵を平置きで並設し、ヘッドボードを連接させてベッドフレームを構成し、該ベッドフレーム上にマットを載置してシングルベッドに転用可能とした。
2010026665.tif 000002
【特許請求の範囲】
【請求項１】
主たる構成部品として一対の長辺柵と、一対の短辺柵と、底部の構成材とを備え、
一対の長辺柵と、一対の短辺柵とで囲い柵を形成し、この囲い柵と底部の構成材とを関連付けてベビーベッドを構成可能であり、
このベビーベッドは各構成部品に分解が可能であり、
底部の構成材はヘッドボードを形成自在なパーツを含み、
分解した一対の長辺柵を平置きで並設し、ヘッドボードを連接させてベッドフレームを構成し、該ベッドフレーム上にマットを載置してシングルベッドに転用可能としたことを特徴とする組立ベッド。
【請求項２】
一対の長辺柵は矩形枠状の枠部材であって、
この枠部材の幅または高さがシングルベッドの幅を有し、
その高さまたは幅がシングルベッドの長さの１／２を有し、
枠部材幅方向の両端部には、シングルベットに転用した場合のベッドフレームの脚部を一体に備えたことを特徴とする請求項１に記載の組立ベッド。
【請求項３】
前記ベビーベッドは、前記囲い柵の内側の底部構成材上に複数の分割したマットを多段に積み重ねて備え、シングルベッドへの転用時には、一対の長辺柵からなる前記ベッドフレーム上に各マットを横並びに載置して構成されることを特徴とする請求項１ないし３のいずれか一項に記載の組立ベッド。
【請求項４】
一対の長辺柵はシングルベッドへの転用時に長辺同士を連結可能な連結具を一体に有したことを特徴とする請求項１ないし３のいずれか一項に記載の組立ベッド。
【請求項５】
シングルベッドへの転用時に一対の長辺柵の連結部を介して両長辺柵にまたがって前記マットが載置されることを特徴とする請求項１ないし４のいずれか一項に記載の組立ベッド。
【請求項６】
一対の長辺柵は、前記底部の構成材上に横方向への移動を不能に位置決めされ、一対の短辺柵は、一対の長辺柵を上方から底部の構成材に押圧して固定すると共に、一対の短辺柵の下端を底部の構成材の側面に連結して組み立てることを特徴とする請求項１ないし５のいずれか一項に記載の組立ベッド。
【請求項７】
前記ヘッドボードの奥行きがベッドフレームの脚部の高さと一致し、ヘッドボードを倒して頭部側または足部側に延設して延長フレームを構成し、延長フレーム上にマットを載置して延長ベッドに転用可能としたことを特徴とする請求項１ないし６のいずれか一項に記載の組立ベッド。
【発明の詳細な説明】
【技術分野】
【０００１】
本発明は、成長に合わせて組み替えることによりサイズを変更可能な組立ベッドに係り、特に資源の有効利用を図りつつ、ユーザが容易に組立および組み替えを行うことが可能な組立ベッドに関する。
【背景技術】
【０００２】
従来、ユーザが自宅で組立を行ったり、組み替えを行うことが可能な組立式家具が知られている。
このような組立式家具の一つとして組立ベッドであるベビーベッドが知られている（例えば、特許文献１参照）。
ベビーベッドは、幼児（あるいは乳児）をベッドの囲い枠の中に留めて、寝かしたり遊ばせたりするために用いるものであり、幼児が目覚めても、家の中の危険な場所に至ることもなく、短時間であれば安心して家事などを行うことが可能となる。
また、床板の高いタイプ（いわゆるハイタイプ）であれば、オムツ替えがラクにできるなど、幼児などの世話がしやすく、中腰などになることもないため、育児の負担を低減することができる。
【特許文献１】特開平１１−２９９５９３号公報
【発明の開示】
【発明が解決しようとする課題】
【０００３】
ところで、子供の成長は早く、ベビーベッドを使用する期間は限られており、使用後の処分に困るものであった。
特に都市部などにおいて、収納スペースの少ない住宅に居住している場合等には、できる限り早い時期に廃棄したり、中古品として買い取ってもらったり、知り合いなどに譲り渡したりする必要があった。
しかしながら、必ずしも全てのユーザに適した方法とはいえず、特に廃棄してしまうような場合には、資源の有効利用も図れないという問題点があった。
そこで、本発明の目的は、資源の有効利用を図りつつ、簡易な構成で、容易に組み替え（組み立て）が行える組立ベッドを提供することにある。
【課題を解決するための手段】
【０００４】
上記課題を解決するために、第１の態様の組立ベッドは、主たる構成部品として一対の長辺柵と、一対の短辺柵と、底部の構成材とを備え、一対の長辺柵と、一対の短辺柵とで囲い柵を形成し、この囲い柵と底部の構成材とを関連付けてベビーベッドを構成可能であり、このベビーベッドは各構成部品に分解が可能であり、底部の構成材はヘッドボードを形成自在なパーツを含み、分解した一対の長辺柵を平置きで並設し、ヘッドボードを連接させてベッドフレームを構成し、該ベッドフレーム上にマットを載置してシングルベッドに転用可能としたことを特徴とする。
上記構成によれば、一対の長辺柵と、一対の短辺柵とで囲い柵を形成し、この囲い柵と底部の構成材とを関連付けてベビーベッドを構成し、ベビーベッドとして使用する必要が無くなった場合には、分解した一対の長辺柵を平置きで並設し、ヘッドボードを連接させてベッドフレームを構成し、ベッドフレーム上にマットを載置してシングルベッドに転用することができるので、資源の有効利用を図ることができるとともに、ベビーベッドの構成部材（長辺柵）をばらすことなくそのまま用いてシングルベッドを構成することができ、容易に組み替えが行える。【０００５】
第２の態様の組立ベッドは、第１の態様の組立ベッドにおいて、一対の長辺柵は矩形枠状の枠部材であって、この枠部材の幅または高さがシングルベッドの幅を有し、その高さまたは幅がシングルベッドの長さの１／２を有し、枠部材幅方向の両端部には、シングルベットに転用した場合のベッドフレームの脚部を一体に備えたことを特徴とする。
上記構成によれば、一対の長辺柵は、それらの配置および設置の向きを変えるだけで容易にシングルベッドに転用することが可能となる。【０００６】
第３の態様の組立ベッドは、第１の態様または第２の態様において、前記ベビーベッドは、前記囲い柵の内側の底部構成材上に複数の分割したマットを多段に積み重ねて備え、シングルベッドへの転用時には、一対の長辺柵からなる前記ベッドフレーム上に各マットを横並びに載置して構成されることを特徴とする。
上記構成によれば、マットは、ベビーベッド構成時には、多段に積み重ねて使用され、シングルベッド構成時には、ばらして横並びにベッドフレーム上に載置するだけであるので、マットの収納場所に困ることもなく、また、組み替え時にマットを探す必要もない。【０００７】
第４の態様の組立ベッドは、第１の態様ないし第３の態様のいずれかにおいて、一対の長辺柵はシングルベッドへの転用時に長辺同士を連結可能な連結具を一体に有したことを特徴とする。
上記構成によれば、長辺柵は、連結具を一体に有しているので、容易にシングルベッドへの転用が図れる。【０００８】
第５の態様の組立ベッドは、第１の態様ないし第４の態様のいずれかにおいて、シングルベッドへの転用時に一対の長辺柵の連結部を介して両長辺柵にまたがって前記マットが載置されることを特徴とする。
上記構成によれば、長辺柵の連結部を介して両長辺柵にまたがってマットが載置されるので、シングルベッド使用時に使用者の体重が両長辺柵に分散されて印加され、ベッドフレームの実効的な強度を確保することができる。【０００９】
第６の態様の組立ベッドは、第１の態様ないし第５の態様のいずれかにおいて、一対の長辺柵は、前記底部の構成材上に横方向への移動を不能に位置決めされ、一対の短辺柵は、一対の長辺柵を上方から底部の構成材に押圧して固定すると共に、一対の短辺柵の下端を底部の構成材の側面に連結して組み立てることを特徴とする。
上記構成によれば、一対の長辺柵は、剛結合されることなくシングルベッドとして連結されるので、ユーザがシングルベッドを移動しようとする場合に、一体に持ち上げられることが無く、連結具の強度を一体移動時を考慮することなく設定することが可能となる。【００１０】
第７の態様の組立ベッドは、第１の態様ないし第６の態様のいずれかにおいて、前記ヘッドボードの奥行きがベッドフレームの脚部の高さと一致し、ヘッドボードを倒して頭部側または足部側に延設して延長フレームを構成し、延長フレーム上にマットを載置して延長ベッドに転用可能としたことを特徴とする。
上記構成によれば、シングルベッドの長さを２段階に調整することが可能となり、より長期にわたって組立ベッドを用いることが可能となる。
【発明の効果】
【００１１】
本発明によれば、組立ベッドをベビーベッドとして使用する必要が無くなった場合には、ベビーベッドの構成部材（長辺柵）を細かくばらすことなくできるだけ大きな単位でそのまま用いてシングルベッドを構成することができ、容易に組み替えが行え、資源の有効利用も図ることができる。
【図面の簡単な説明】
【００１２】
【図１】組立ベッドをベビーベッドとして組み立てた場合の斜視図である。
【図２】組み替え用部品の収納状態説明図である。
【図３】ベビーベッドの組立説明図（その１）である。
【図４】ベビーベッドの組立説明図（その２）である。
【図５】ベビーベッドにおける組替用部品の収納状態を説明するための図である。
【図６】組立ベッドを子供用のシングルベッドに組み替えた場合の外観斜視図である。
【図７】組立ベッドを子供用のシングルベッドに組み替える場合の分解斜視図である。
【図８】ヘッドボード組立の説明図である。
【図９】ヘッドボード本体ユニットの収納時の外観斜視図である。
【図１０】子供用のシングルベッド構成時にヘッドボード本体ユニットへのヘッドボード連結ユニットの取り付けを説明するための図である。
【図１１】ヘッドボード連結ユニット２５の収納時の外観斜視図である。
【図１２】組立ベッドを子供用のシングルベッドとして組み立てた場合の一部断面図である。
【図１３】組立ベッドを大人用のシングルベッド（延長ベッド）に組み替えた場合の外観斜視図である。
【図１４】組立ベッドを大人用のシングルベッドに組み替える場合の分解斜視図である。
【図１５】大人用のシングルベッド構成時にヘッドボード本体ユニットへのヘッドボード連結ユニットの取り付けを説明するための図である。
【図１６】組立ベッドを大人用のシングルベッドに組み替えた場合の一部断面図である。
【図１７】組立ベッドをベビーベッド（ハイタイプ）として組み立てた場合の斜視図である。
【図１８】スライド柵として構成された長辺柵の分解斜視図である。
【図１９】ベビーベッドの組立説明図（その１）である。
【図２０】ベビーベッドの組立説明図（その２）である。
【図２１】ベビーベッドの組立説明図（その３）である。
【図２２】ベビーベッドの組立説明図（その４）である。
【図２３】収納した部品の収納状態説明図である。
【図２４】中底板部の形成状態の説明図である。
【図２５】組立ベッドを引出付きシングルベッドに組み替え、マットレスを載置した場合の外観斜視図である。
【図２６】図２５の引出付きシングルベッドにおいて引出を引き出した場合の外観斜視図である。
【図２７】引出付きシングルベッドの分解斜視図である。
【図２８】引出の組立説明図（その１）である。
【図２９】引出の組立説明図（その２）である。
【図３０】背面パネルの組立説明図である。
【符号の説明】
【００１３】
１０    ベビーベッド
１０Ａ  シングルベッド
１０Ｂ  シングルベッド（延長ベッド）
１１    底板部
１１Ｂ  底板ベース
１２、１２Ａ〜１２Ｃ    マット
１３、１４    長辺柵
１５、１６    短辺柵
２０    ヘッドボード
５０    ベビーベッド
５０Ａ  シングルベッド
５１    底板部
５１Ａ  底板ベース
５２、５３    長辺柵
５４、５５    短辺柵
５６    中底板部
６０    収納部
６１、６２    底板パネル
６３    ベッドフレームパネル
６８Ａ  脚部
８１    中底板ベース
８２    ヘッドボードパネルユニット
８３    背面パネル
８５    第１引出
８６    第２引出
９０    マット
【発明を実施するための最良の形態】
【００１４】
以下、本発明の好適な実施の形態を図面に基づいて説明する。
［１］第１実施形態
以下の説明においては、組立ベッドとして、ベビーベッドを例として説明する。このベビーベッドは、子供の成長に合わせて、あるいは、必要に応じてベビーサークル、子供用のシングルベッドあるいは大人用のシングルベッドへと組み替えが可能となっている。【００１５】
図１は、組立ベッドをベビーベッドとして組み立てた場合の斜視図である。
組立ベッドとしてのベビーベッド１０は、主として木製の部材を組み付けて構成したものであり、主たる構成部品として、後述する複数の部材で構成された底板部１１と、複数のマット１２Ａ、１２Ｂ、１２Ｃにより構成されるマット１２と、一対の長辺柵１３、１４と、一対の短辺柵１５、１６と、を備えている。そして、一対の長辺柵１３、１４と、一対の短辺柵１５、１６とで囲い柵を形成し、この囲い柵と底板部との間に複数のマット１２Ａ、１２Ｂ、１２Ｃを多段（実施形態では、３段）に積み重ねることによりベビーベッド１０として構成される。この場合において、底板部１１の下面の４隅部分には、それぞれキャスタ１１Ａが設けられ、ベビーベッド１０を容易に移動可能としている。【００１６】
長辺柵１３は、大別すると、上部フレーム１０１と、下部フレーム１０２と、サイドパネル１０３，１０４と、上部フレーム１０１と下部フレーム１０２との間で縦格子を形成するように掛け渡された複数の縦格子フレーム１０５、１０６と、を備えている。
同様に長辺柵１４は、大別すると、上部フレーム１１１と、下部フレーム１１２と、サイドパネル１１３，１１４と、上部フレーム１１１と下部フレーム１１２との間で縦格子を形成する複数の縦格子フレーム１０５、１０６と、を備えている。
また、底板部１１と、マット１２との間には、組立ベッドを子供用のシングルベッドあるいは大人用のシングルベッドとして組み替える際に用いられる後述する複数の部材（及び取扱説明書）が収納されている。【００１７】
図２は、組み替え用部品の収納状態説明図である。
ベビーベッド１０を図１に示したように組み立てた状態においては、図２に示すように、ヘッドボード本体ユニット２３の周囲の底板ベース１１Ｂの上方に、金属製の手すり支持部材２１および手すり支持部材２１が取り付けられてベッド用の手すりを構成する木製の手すり部材２２と、ヘッドボード２０を構成するヘッドボードサイドパネル２４Ａ、２４Ｂ及びヘッドボード連結ユニット２５と、がパズルのように組み合わされて収納され、底板部１１を構成している。
これらの結果、ベビーベッド１０として使用している場合に、組立ベッドを子供用のシングルベッドあるいは大人用のシングルベッドとして組み替える際に必要となる部品を確実に保管することが可能となる。【００１８】
次にベビーベッド１０の組み立てについて説明する。
図３は、ベビーベッドの組立説明図（その１）である。
図４は、ベビーベッドの組立説明図（その２）である。
底板ベース１１Ｂには、開口部１２０が設けられて上面視口字形状とされており、底板ベース１１Ｂの長辺側の一方の側縁部１１Ｃには、図３の下部に示すように、長辺柵１３に係合する３個のボス（係合突起）１２１が設けられており、他方の側縁部１１Ｄには、長辺柵１４に係合する３個のボス１２２が設けられている。
一方、底板ベース１１Ｂの側縁部１１Ｄには、切欠き部１２３が２カ所に設けられている。この切欠き部１１３は、長辺柵１４の下部に突設された連結部材１４２が挿入されて、長辺柵１４が３個のボス１２２と係合するのを妨げないようにするためのものである。ここで、連結部材１４２は、子供用あるいは大人用のシングルベッドを組み立てる場合に用いられ、長辺柵１４をベッドフレームとして機能させる場合に、同じくベッドフレームとして機能する長辺柵１３と連結係合させるための部材である。
さらに、底板ベース１１Ｂの短辺側の一方の側縁部に位置する底板フレーム１２５の側面には、短辺柵１５に設けられたボスと係合するボス孔１２６が４箇所に形成され、短辺側の他方の側縁部を構成する底板フレーム１２７の側面には、短辺柵１６に設けられたボスと係合するボス孔１２８が４箇所に形成されている。【００１９】
ベビーベッド１０として組み立てる場合には、図４に示すように、まず、底板ベース１１Ｂに長辺柵１３および長辺柵１４を立設することとなる。
具体的な組み立てに先立って、まず、長辺柵１３の構成について図３を参照して詳細に説明する。
長辺柵１３は、上述したように、上部フレーム１０１と、下部フレーム１０２と、サイドパネル１０３，１０４と、縦格子フレーム１０５、１０６と、下部支持フレーム１０７と、を備えている。そして、サイドパネル１０３の上端面には、短辺柵１５に設けられたボス１５９Ａ（図４参照）に係合されるボス孔１０８が２箇所に設けられている。
また、サイドパネル１０４の上端面には、短辺柵１６に設けられたボス１５９Ｂ（図４参照）に係合されるボス孔１０９が２箇所に設けられている。
また、縦格子フレーム１０５と、縦格子フレーム１０６とは、長さが異なるのみで構造は同様となっており、断面矩形形状を有する棒状の部材として構成されている。
さらに下部支持フレーム１０７の下面には、底板ベース１１Ｂの上面に設けられたボス１２１と係合する図示しないボス孔（係合孔）が３カ所に設けられている。【００２０】
次に長辺柵１４の構成について、図３を参照して説明する。
長辺柵１４は、図３の上部に示すように、大別すると、上部フレーム１１１と、下部フレーム１１２と、サイドパネル１１３，１１４と、上部フレーム１１１と下部フレーム１１２との間で縦格子を形成する複数の縦格子フレーム１０５、１０６と、サイドパネル１１３とサイドパネル１１４との間に掛け渡されるとともに、下部フレーム１１２の背面側に設けられた下部支持フレーム１１７と、を備えている。
ここで、サイドパネル１１３の上端面には、短辺柵１５に設けられたボス１３９Ｂ（図４参照）に係合されるボス孔１１８が２箇所に設けられている。
また、サイドパネル１１４の上端面には、短辺柵１６に設けられたボス１３９Ａ（図４参照）に係合されるボス孔１１９が２箇所に設けられている。
さらに下部支持フレーム１１７の下面には、底板ベース１１Ｂの上面に設けられたボス１２２と係合するボス孔（係合孔）１４１が３カ所に設けられているとともに、長辺柵１４をベッドフレームとして機能させる場合に、長辺柵１３と連結係合させるための縦格子フレーム１０６と係合する連結部材１４２が２カ所に設けられている。【００２１】
上記構成において、ベビーベッド１０を組み立てる場合には、長辺柵１３の下部支持フレーム１０７の下面に設けられたボス孔の位置を底板ベース１１Ｂのボス１２１の形成位置に合わせた状態で、長辺柵１３を底板ベース１１Ｂの上方から押し込むことにより、図４の下部に示すように、長辺柵１３は、底板ベース１１Ｂと係合し、自立した状態となる。
同様に長辺柵１４の下部支持フレーム１１７の下面に設けられたボス孔の位置を底板ベース１１Ｂのボス１２２の形成位置に合わせた状態で、連結部材１４２を底板ベース１１Ｂの切欠き部１２３内に挿入しつつ、長辺柵１４を底板部１１の上方から押し込むことにより、長辺柵１４は、底板部１１と係合し、自立した状態となる。
これらの結果、図４の下部に示すように、底板ベース１１Ｂに長辺柵１３および長辺柵１４が自立した状態となる。
この状態で、次に短辺柵１５および短辺柵１６を組み付けることとなる。【００２２】
ここで、短辺柵１５および短辺柵１６の構成について、図４を参照して説明する。
この場合において、短辺柵１５および短辺柵１６は、同一構成であるので、主として短辺柵１５について説明する。
短辺柵１５は、図４の上部に示すように、大別すると、上部フレーム１３１と、下部フレーム１３２と、略Ｌ字形状のサイドフレーム１３３，１３４と、上部フレーム１３１と下部フレーム１３２との間で縦格子を形成する複数の縦格子フレーム１３５と、下部フレーム１３２の背面側に自己の蝶番部１３６Ａを介して取り付けられ、図４中、矢印Ａ方向に回動可能とされた、断面Ｌ字状の係合部材１３７と、を備えている。この場合において、係合部材１３７は、蝶番部１３６Ａを備える構成としているが、別体の蝶番を介して断面Ｌ字状の係合部材を取り付ける構造とすることも可能である。
ここで、短辺柵１５の下部フレーム１３２の背面側には、底板ベース１１Ｂの底板フレーム１２５の側面に設けられた４箇所のボス孔１２６に嵌め込まれて係合されるボス１３８が４箇所に形成されている。【００２３】
また、短辺柵１５のサイドフレーム１３３の上部の水平部分下面には、長辺柵１３のサイドパネル１０３の上端面に形成された２箇所のボス孔１０８に嵌め込まれて係合されるボス１３９Ａが２箇所に形成され、同様に、短辺柵１５のサイドフレーム１３４の上部の水平部分下面には、サイドパネル１０４の上端面に形成された２箇所のボス孔１１８に嵌め込まれて係合されるボス１３９Ｂが２箇所に形成されている。
上記構成において、ベビーベッド１０を組み立てる場合には、ユーザは、図５に示すように、蝶番部１３６Ａを介して短辺柵１５の係合部材１３７を矢印Ｂ方向に引き起こし、係合部材１３７の先端部１３７Ａが水平状態となり、仮想線（二点鎖線）で示すように、立てた状態とする。
続いて、ユーザは、短辺柵１５の下部フレーム１３２の背面側のボス１３８が底板ベース１１Ｂの底板フレーム１２５に設けられた４箇所のボス孔１２６（図３参照）に対向する位置に至るように、短辺柵１５の２箇所のボス１３９Ａをサイドパネル１０３の上端面のボス孔１０８に挿入するとともに、２箇所のボス１３９Ｂをサイドパネル１１３の上端面のボス孔１１８に挿入する。
この状態で、ユーザは、短辺柵１５を撓ませつつ、下部フレーム１３２の背面側のボス１３８を、底板ベース１１Ｂの底板フレーム１２５側の側面に設けられた４箇所のボス孔１２６に挿入し、完全に押し込んで係合させる。【００２４】
この段階では、短辺柵１５の下部を底板フレーム１１５から離間する方向に引くことにより、ボス１５８とボス孔１１６との係合を容易に解くことが可能な状態となっている。すなわち、再組立時などにおいて、分解が容易な状態となっている。したがって、短辺柵１５の底板フレーム１２５から離間する方向へ引かれ、ボス１３８とボス孔１２６との係合が解かれるのを防止するために、係合部材１３７を図４に実線で示すような状態に回動させ、底板フレーム１２５の側面１２５Ａに係合部材１３７の先端部１３７Ａを係合させる。
この結果、短辺柵１５の下部を底板フレーム１１５から離間する方向に力をかけたとしても、ボス１５８とボス孔１２６との係合が解かれることなく、確実に係合が維持され、ひいては、ボス１３９Ａとサイドパネル１０３の上端面のボス孔１０８との係合、並びに、ボス１３９Ｂとサイドパネル１１３の上端面のボス孔１１８との係合が確実に維持されることとなる。【００２５】
同様に、ユーザは、短辺柵１６の係合部材１３７を引き起こして立てた状態とし、短辺柵１６の下部フレーム１３２の背面側のボス１３８が底板ベース１１Ｂの底板フレーム１２７に設けられた４箇所のボス孔１２８に対向する位置に至るように、短辺柵１６の２箇所のボス１３９Ａをサイドパネル１１４の上端面のボス孔１１９に挿入するとともに、２箇所のボス１３９Ｂをサイドパネル１０４の上端面のボス孔１０９に挿入する。
この状態で、ユーザは、短辺柵１６を撓ませつつ、短辺柵１６の下部フレーム１３２の背面側のボス１３８を、底板部１１の底板フレーム１２７に設けられた４箇所のボス孔１２８に挿入し、完全に押し込んで係合させ、短辺柵１５の場合と同様に、係合部材１３７を回動させ、底板フレーム１２７の側面１２７Ａに先端部１３７Ａを係合させる。【００２６】
この結果、ボス１３８とボス孔１２８との係合が確実に維持され、ひいては、ボス１３９Ａとサイドパネル１１４の上端面のボス孔１１９との係合、並びに、ボス１３９Ｂとサイドパネル１０４の上端面のボス孔１０９との係合が確実に維持されることとなる。
これらの結果、図２の下部に示すような状態となるので、短辺柵１５の係合部材１３７の底板フレーム１２５に対する係合及び短辺柵１６の係合部材１３７の底板フレーム１２７に対する係合が解かれないように、底板ベース１１Ｂの開口部１２０に対向する位置、かつ、底板フレーム１２５および底板フレーム１２７の双方にその一部が載置するようにヘッドボード本体ユニット２３を配置する。この状態で、二つの係合部材１３７の上面には、ヘッドボード本体ユニット２３が載置されることとなるので、上方に回動しない状態となる。【００２７】
図５は、ベビーベッドにおける組替用部品の収納状態を説明するための図である。
図５に示すように、組替用部品である手すり支持部材２１、手すり部材２２、ヘッドボード本体ユニット２３、ヘッドボードサイドパネル２４Ａ、２４Ｂおよびヘッドボード連結ユニット２５は、底板ベース１１Ｂの上方に収納された状態において、各部品の上面位置（マット１２が載置される面位置）がほぼ一定となっており、底板ベース１１Ｂを含む全体として、底板部１１を構成することとなっている。
そこで、底板部１１として機能している手すり支持部材２１、手すり部材２２、ヘッドボード本体ユニット２３、ヘッドボードサイドパネル２４Ａ、２４Ｂ、ヘッドボード連結ユニット２５および底板ベース１１Ｂの上部にマット１２を構成するマット１２Ａ、１２Ｂ、１２Ｃを３段に重ねて収納することにより、図１に示したように、ベビーベッド１０として、完成される。
これとともに、短辺柵１５に設けられた係合部材１３７の底板フレーム１２５に対する係合及び短辺柵１６に設けられた係合部材１３７の底板フレーム１２７に対する係合が維持され、強固なフレーム構造を維持することが可能となっている。【００２８】
この場合において、マット１２を構成する２枚のマット１２Ａ、マット１２Ｂ、１２Ｃの全てを３段に重ねて収納してベビーベッドを構成した場合に、乳児がベビーベッドから転落することを防止するため、
Ｈ１≧３５ｃｍ
を満たし、かつ、伝い歩きをしている乳幼児のために１枚のマット１２Ａのみを収納してベビーサークルを構成した場合に、乳幼児が囲い枠を乗り越えてしまうことを防止するため、
Ｈ２≧６０ｃｍ
を満たすように、各マット１２Ａ、１２Ｂ、１２Ｃの厚さｔｈ及び底板部１１から上部枠までの高さＨ３が定められている。【００２９】
具体的には、Ｈ１＝３５ｃｍ、Ｈ２＝６０ｃｍとした場合、以下のように定められる。
ｔｈ＝（Ｈ２−Ｈ１）／２
＝（６０−３５）／２
＝１２．５ｃｍ
Ｈ３＝Ｈ２＋ｔｈ
＝７２．５ｃｍ
ところで、本実施形態の組立ベッドは、組み替える際には、細かな部品にばらすことなく、各構成部材をできるだけ大きな単位で再利用する点を特徴としており、組替工程の簡略化および組替作業に要する時間の短縮化を図っている。【００３０】
図６は、組立ベッドを子供用のシングルベッドに組み替えた場合の外観斜視図である。
組立ベッドを子供用のシングルベッド１０Ａに組み替える場合には、ベビーベッド１０の囲い柵を構成していた一対の長辺柵１３、１４をそのまま平置きにして長辺同士を連結してベッドフレームを構成し、さらにベビーベッド１０の構成時に底板部１１とマット１２との間に収納していたパーツを組み立ててヘッドボード２０を構成し、平置きにした長辺柵１４の頭部側長辺にヘッドボード２０を構成するヘッドボードサイドパネル２４Ａ、２４Ｂの短辺が下側になるように連結し、子供用のシングルベッド１０Ａとしている。
したがって、長辺柵１３のサイドパネル１０３，１０４、長辺柵１４のサイドパネル１１３，１１４並びに長辺柵１３の下部フレーム１０２の背面側に設けられた下部支持フレーム１０７がそのまま子供用のシングルベッド１０Ａの脚部を構成することとなり、容易に組み替えが行えるようになっている。【００３１】
この場合において、サイドパネル１０３、１０４、１１３、１１４の幅Ｗ１は、ヘッドボード２０の幅Ｗ２と等しくなるようにされている。また、長辺柵１３あるいは長辺柵１４の幅Ｗ３は、一般的にシングルベッドとして用いられる幅（９５〜１１０ｃｍ）とされている。これは、ヘッドボード２０を倒した状態で大人用ベッドのベッドフレームの一部として用いるためである。
さらにヘッドボード２０の高さＷ４は、子供用のシングルベッドのベッドフレーム部分（＝ヘッドボード除く部分）の長さと、大人用のシングルベッドのベッドフレーム部分長さと、の差となるように設定されている。
さらにまた、ベッドフレームの天面側には、長辺柵１３あるいは長辺柵１４を構成する縦格子フレーム１０５、１０６が位置することとなり、ユーザによる荷重を受けることとなるが、実際に用いる場合には、マット１２を構成する２枚のマット１２Ａおよびマット１２Ｂを横並びに載置して子供用のシングルベッド１０Ａのマットとして構成している。なお、組み替え後に使用しないマット１２Ｃ、短辺柵１５、１６およびキャスタ１１Ａを備えた底板部１１の底板ベース１１Ｂは、一対の長辺柵１３、１４で構成されたベッドフレームの下に収納されるようになっている。【００３２】
図７は、組立ベッドを子供用のシングルベッドに組み替える場合の分解斜視図である。
組立ベッドを子供用のシングルベッド１０Ａは、ベビーベッド１０の囲い柵を構成していた一対の長辺柵１３、１４と、ヘッドボード２０と、により基本的な構成ができている。
まず、ヘッドボード２０について説明する。
ヘッドボード２０は、図７に示すように、ベビーベッド１０の構成時にマット１２の下方に収納していたヘッドボード本体ユニット２３、ヘッドボードサイドパネル２４Ａ、２４Ｂ、一対のヘッドボード連結ユニット２５を組み立てることにより得られる。【００３３】
図８は、ヘッドボード組立の説明図である。
ヘッドボード２０の組み立てに際しては、図８に示すように、まず、ヘッドボード本体ユニット２３にヘッドボードサイドパネル２４Ａ、２４Ｂを取り付けることとなる。
図９は、ヘッドボード本体ユニットの収納時の外観斜視図である。
ヘッドボード本体ユニット２３は、図９に示すように、収納時には、折りたたまれており、長方形状のベースパネル１５１と、このベースパネル１５１の一方の長辺に沿って複数の蝶番１５２を介して回動可能に取り付けられた上部パネル１５３と、ベースパネル１５１の他方の長辺に沿って複数の蝶番１５４を介して回動可能に取り付けられた下部パネル１５５と、を備えている。
ベースパネル１５１は、図９に示すように、双方の短辺の中央部近辺にそれぞれ設けられた一対のスライド錠１５６と、子供用のシングルベッド１０Ａの構成時にヘッドボード連結ユニット２５がそれぞれ係合される一対の係合孔１５７と、ヘッドボードサイドパネル２４Ａの一対のボス２４１、２４２が係合される一対のボス孔１５８Ａと、ヘッドボードサイドパネル２４Ｂの一対のボス２４１、２４２が係合される一対のボス孔１５８Ｂと、を備えている。【００３４】
上部パネル１５３は、ヘッドボード２０の組立時にヘッドボードサイドパネル２４Ａのボス１６６が係合されるボス孔１８１およびヘッドボードサイドパネル２４Ｂのボス１６６が係合されるボス孔１８２を備えている。
下部パネル１５５は、ヘッドボード組立時にヘッドボードサイドパネル２４Ａのボス１６８が係合されるボス孔１８３と、ヘッドボードサイドパネル２４Ｂのボス１６８が係合されるボス孔１８４と、大人用のシングルベッド構成時にヘッドボード連結ユニット２５がそれぞれ係合される一対の係合孔１５９を備えている。【００３５】
次にヘッドボードサイドパネル２４Ａ、２４Ｂの構造について図８を参照して説明する。
ヘッドボードサイドパネル２４Ａと、ヘッドボードサイドパネル２４Ｂとは、鏡面対称な構造を有しているので、同一の符号を付し、主としてヘッドボードサイドパネル２４Ａの構造について説明する。
ヘッドボードサイドパネル２４Ａは、ベースパネル１６０を有しており、このベースパネル１６０には、柱状の第１支持部材１６４が設けられている。そして、この第１支持部材１６４には、一方（図８中、上部側）のボス孔１５８Ａに係合される第１ボス１６１、他方（図８中、下部側）のボス孔１５８Ａに係合される第２ボス１６２およびスライド錠１５６の係止片が挿入されるスライド錠受け１６３が設けられている。さらに第１支持部材１６４は、ヘッドボード２０を組み立てた状態で、その一端面１６９が上部パネル１５３に当接し、他端面１７０が下部パネル１５５に当接して、使用時の荷重を受け、上部パネル１５３および下部パネル１５５を支持するように形成されている。
さらに、ヘッドボードサイドパネル２４Ａには、直方体状の第２支持部材２４５が設けられ、この第２支持部材２４５には、上部パネル２３２のボス孔に係合されるボス２４６が設けられている。
さらにまた、ヘッドボードサイドパネル２４Ａには、直方体状の第３支持部材１６７が設けられ、この第３支持部材１６７には、下部パネル１５５のボス孔１８３に係合されるボス１６８が設けられている。【００３６】
ヘッドボード２０を組み立てる際には、まず、ユーザは、ヘッドボード本体ユニット２３の上部パネル１５３を蝶番１５２を介して上方に回動させるとともに、下部パネル２３３を蝶番２３５を介して下方に回動させて、図８に示すように、側面視略Ｕ字形状とする。
続いてユーザは、ヘッドボードサイドパネル２４Ａのベースパネル１６０を、上部パネル１５３の一方の側面１５３Ａおよび下部パネル２３３の一方の側面１５５Ａの双方に当接させた状態で、図８に示すように、矢印Ｃ方向からスライドさせ、第１ボス１６１を上部側のボス孔１５８Ａに係合させ、第２ボス１６２を下部側のボス孔１５８Ａに係合させ、ボス１６６を上部パネル１５３のボス孔１８１に係合させ、ボス１６８を、下部パネル１５５のボス孔１８３に係合させる。
そして、スライド錠１５６の係止片１５６Ａをヘッドボードサイドパネル２４Ａのベースパネル１６０側にスライドさせ、スライド錠受け１６３に係合させる。そして、係止片１５６Ａのスライドつまみ１５６Ｂを、当該スライド錠１５６のロック溝１５６Ｃ内に回動させて係合させ、ロック状態とする。これにより、係止片１５６Ａとスライド錠受け１６３との係合状態は維持され、ひいては、ヘッドボード本体ユニット２３からヘッドボードサイドパネル２４Ａが外れてしまうのを防止している。【００３７】
続いて、ユーザは、ヘッドボードサイドパネル２４Ａ場合と同様に、ヘッドボードサイドパネル２４Ｂのベースパネル１６０を、上部パネル１５３の他方の側面１５３Ｂおよび下部パネル１５５の他方の側面１５５Ｂの双方に当接させた状態で、図８に示すように、矢印Ｃ方向からスライドさせ、第１ボス１６１を上部側のボス孔１５８Ｂに係合させ、第２ボス１６２を下部側のボス孔１５８Ｂに係合させ、ボス１６６を上部パネル１５３のボス孔１８２に係合させ、ボス１６８を、下部パネル１５５のボス孔１８４に係合させる。
そして、スライド錠１５６の係止片１５６Ａをヘッドボードサイドパネル２４Ｂのベースパネル１６０側にスライドさせ、スライド錠受け１６３に係合させ、さらに係止片１５６Ａのスライドつまみ１５６Ｂを当該スライド錠１５６のロック溝１５６Ｃ内に回動させて係合させ、ロック状態として、ヘッドボード本体ユニット２３からヘッドボードサイドパネル２４Ｂが外れてしまうのを防止することとなる。
図１０は、子供用のシングルベッド構成時にヘッドボード本体ユニットへのヘッドボード連結ユニットの取り付けを説明するための図である。
続いて完成したヘッドボード本体ユニット２３に対し、図１０に示すように、ヘッドボード２０をベッドフレームに取り付けるための一対のヘッドボード連結ユニット２５を取り付けることとなる。【００３８】
図１１は、ヘッドボード連結ユニット２５の収納時の外観斜視図である。
ここで、ヘッドボード連結ユニット２５について説明する。
ヘッドボード連結ユニット２５は、長辺柵１４の縦格子フレーム１３６が係合し、支持される係合支持部１９１と、蝶番１９２を介して係合支持部１９１に回動可能に結合され、図１１中、二点鎖線で示すような回動状態で係合支持部１９１を下方から支える脚部１９３と、脚部１９３に設けられ、ヘッドボード本体ユニット２３のダボ孔１８５に係合するダボ１９４と、係合支持部１９１の側面に設けられ、ヘッドボード本体ユニット２３の係合孔１５７あるいは係合孔１５９に係合される金属製の係合部材１９６と、を備えている。この係合部材１９６の先端は、Ｌ字状に折り曲げられて先端部１９６Ａとして構成されている。
そして、ヘッドボード連結ユニット２５は、使用状態では、脚部２５３は、図１１中、二点鎖線で示したような状態となっており、全体として、Ｔ字形状をなしている。【００３９】
実際にヘッドボード２０を子供用のシングルベッド用にする場合には、図１２に示すように、Ｔ字形状としたヘッドボード連結ユニット２５の係合部材１９６を、図１２中、矢印Ｄに沿って係合部材１９６をヘッドボード本体ユニット２３のベースパネル１５１に設けられた係合孔１５７に挿入し、係合部材１９６の先端部１９６Ａをベースパネル２３１の裏面に係合させる。これと同時にヘッドボード本体ユニット２３の下部パネル２３３の側面に形成されているダボ孔１８５にダボ１９４を挿入し、係合させる。
この結果、一対のヘッドボード連結ユニット２５は、図１２中、左側に図示するような状態で、ヘッドボード本体ユニット２３の所定位置にそれぞれ固定、位置決めされる。
この状態で、係合支持部１９１に形成されている係合支持用溝１９７および支持用切欠１９８が上面に位置することとなる。【００４０】
続いて、子供用のシングルベッド１０Ａの組み立て手順を説明する。
まず、ヘッドボード２０を構成するヘッドボードサイドパネル２４Ａ、２４Ｂの短辺が下側になるように所望の位置に設置し、ヘッドボード２０を構成する各ヘッドボード連結ユニット２５の係合支持用溝１９７および支持用切欠１９８に長辺柵１４の対応する３本の縦格子フレーム１０６がそれぞれ係合するように長辺柵１４の頭部側長辺（上部フレーム１１１側）を上方からかぶせるようにして連結し、長辺柵１４を平置きにする。
続いて、長辺柵１４の一対の連結部材１４２の係合溝１４３のそれぞれに長辺柵１３の対応する縦格子フレーム１０６が係合するように長辺柵１３の頭部側長辺（上部フレーム１０１側）を上方から連結し、長辺柵１３を平置きとする。この結果、子供用のシングルベッド１０Ａは、図２に示した状態となる。【００４１】
上述したように、長辺柵１３と長辺柵１４とは、Ｘ方向およびＹ方向への移動は規制するように互いに係合させているが、Ｚ方向への移動は容認するように、剛結合構造とはしていない。したがって、連結部材１４２に対応する連結部分の強度を余り必要としないので、連結部分の構造を簡略化でき、組み立て、分解が容易となっている。
同様に、長辺柵１４とヘッドボード２０とは、Ｘ方向およびＹ方向への移動は規制するように互いに係合させているが、Ｚ方向への移動（離間する方向への移動）は容認するように、剛結合構造とはしていないので、連結部材として機能するヘッドボード連結ユニット２５の強度を余り必要としないので、こちらの連結部分の構造も簡略化でき、組み立て、分解が容易となっている。【００４２】
図１２は、組立ベッドを子供用のシングルベッドとして組み立てた場合の一部断面図である。
子供用のシングルベッド１０Ａにおいて、一対の長辺柵１３、１４で構成されたベッドフレーム上には２個のマット１２Ａおよびマット１２Ｂを横並びに載置して子供用のシングルベッド１０Ａのマットとして構成している。なお、子供用のシングルベッドを構成する際には用いないマット１２Ｃは、図１２に示すように、一対の長辺柵１３、１４で構成されたベッドフレームの下に収納するとともに、図示していないが、短辺柵１５、１６およびキャスタ１１Ａを備えた底板部１１の底板ベース１１Ｂも、ベッドフレームの下に収納される。
この場合において、マット１２Ａとマット１２Ａとの境界位置Ｐ１と、連結部材１４２により連結した長辺柵１３と長辺柵１４との境界位置Ｐ２とは、異なる位置となるようにマット１２Ａのサイズと長辺柵１３、１４の図１における高さ方向のサイズが定められている。さらに、境界位置Ｐ１は、長辺柵１３上に位置するように設定されている。この結果、図３中、左側に載置したマット１２Ａに印加される荷重（主としてベッドユーザの体重）は、長辺柵１４および長辺柵１３の双方に分散されて支持されることとなり、ベッドフレームにおいて十分な強度を確保することができる。【００４３】
図１３は、組立ベッドを大人用のシングルベッド（延長ベッド）に組み替えた場合の外観斜視図である。
組立ベッドを大人用のシングルベッド１０Ａに組み替える場合には、ベビーベッド１０の囲い柵を構成していた一対の長辺柵１３、１４をそのまま平置きにして長辺同士を連結してベッドフレームを構成し、さらにベビーベッド１０の構成時に底板部１１とマット１２との間に収納していたパーツを組み立ててヘッドボード２０を構成し、平置きにした長辺柵１４の頭部側長辺にヘッドボード２０を構成するヘッドボードサイドパネル２４Ａ、２４Ｂの長辺が下側になるように連結し、大人用のシングルベッド１０Ｂとしている。【００４４】
したがって、長辺柵１３のサイドパネル１０３、１０４、長辺柵１４のサイドパネル１１３、１１４並びに長辺柵１３の下部フレーム１３２の背面側に設けられた下部支持フレーム１１７がそのまま大人用のシングルベッドの脚部を構成することとなり、容易に組み替えが行えるようになっている。
特に、子供用のシングルベッドから大人用のシングルベッドに組み替える場合には、ヘッドボード２０の連結状態を変更するだけで済み、特に容易に組み替えが行えるようになっている。
また、大人用のシングルベッドを実際に用いる場合には、マット１２を構成する２枚のマット１２Ａ、マット１２Ｂ及びマット１２Ｃを横並びに載置して大人用のシングルベッド１０Ｂのマットとして構成している。この場合においても、使用しない短辺柵１５、１６およびキャスタ１１Ａを備えた底板部１１の底板ベース１１Ｂは、一対の長辺柵１３、１４で構成されたベッドフレームの下に収納されるようになっている。【００４５】
図１４は、組立ベッドを大人用のシングルベッドに組み替える場合の分解斜視図である。
図１５は、大人用のシングルベッド構成時にヘッドボード本体ユニットへのヘッドボード連結ユニットの取り付けを説明するための図である。
ヘッドボード本体ユニット２３の一対の係合孔１５９に対し、図１５に示すように、ヘッドボード２０をベッドフレームに取り付けるための一対のヘッドボード連結ユニット２５をそれぞれ取り付けることとなる。
より詳細には、Ｔ字形状としたヘッドボード連結ユニット２５の係合部材１９６を、図１５中の矢印Ｄに沿ってヘッドボード本体ユニット２３の下部パネル１５５に設けられた係合孔１５９に挿入し、先端部１９６Ａを下部パネル１５５の裏面に係合させる。これと同時にヘッドボード本体ユニット２３の下部パネル１５５の表面に形成されているボス孔２０１にダボ１９４を挿入し、係合させる。【００４６】
この結果、一対のヘッドボード連結ユニット２５は、図１５中、左側に図示する一方のヘッドボード連結ユニット２５のような状態で、ヘッドボード本体ユニット２３の所定位置にそれぞれ固定、位置決めされ、係合支持部１９１に形成されている係合支持用溝１９７および支持用切欠１９８が上面に位置することとなる。
続いて、大人用のシングルベッド１０Ｂの組み立て手順を説明する。
まず、ヘッドボード２０を構成するヘッドボードサイドパネル２４Ａ、２４Ｂの長辺が下側になるように所望の位置に設置し、ヘッドボード２０を構成する各ヘッドボード連結ユニット２５の係合支持用溝１９７および支持用切欠１９８に長辺柵１４の対応する３本の縦格子フレーム１０６がそれぞれ係合するように長辺柵１４の上部フレーム１１１側を上方から連結し、長辺柵１４を平置きにする。【００４７】
続いて、長辺柵１４の一対の連結部材１４２の係合溝１４３のそれぞれに長辺柵１３の対応する縦格子フレーム１０６が係合するように長辺柵１３の上部フレーム１０１側を上方から連結し、長辺柵１３を平置きとする。この結果、大人用のシングルベッド１０Ｂは、図１３に示した状態となる。
上述したように、長辺柵１３と長辺柵１４とは、Ｘ方向およびＹ方向への移動は規制するように互いに係合させているが、Ｚ方向への移動は容認するように、剛結合構造とはしていない。したがって、連結部材１４２に対応する連結部分の強度を余り必要としないので、連結部分の構造を簡略化でき、組み立て、分解が容易となっている。
同様に、長辺柵１４とヘッドボード２０とについても、Ｘ方向およびＹ方向への移動は規制するように互いに係合させているが、Ｚ方向への移動は容認するように、剛結合構造とはしていないので、連結部材として機能するヘッドボード連結ユニット２５の強度を余り必要としないので、こちらの連結部分の構造も簡略化でき、組み立て、分解が容易となっている。【００４８】
図１６は、組立ベッドを大人用のシングルベッドに組み替えた場合の一部断面図である。
大人用のシングルベッド１０Ｂにおいては、ヘッドボード２０及び一対の長辺柵１３、１４で構成されたベッドフレーム上に、２個のマット１２Ａ、マット１２Ｂおよび１２Ｃを横並びに載置することにより、大人用のシングルベッド１０Ｂのマットとして構成している。なお、図示していないが、ベビーベッド１０構成時に用いていた短辺柵１５、１６およびキャスタ１１Ａを備えた底板部１１の底板ベース１１Ｂも、ベッドフレームの下に収納される。
この場合においても、子供用のシングルベッドを構成した場合と同じく、マット１２Ａとマット１２Ａとの境界位置Ｐ１と、連結部材１４２により連結した長辺柵１３と長辺柵１４との境界位置Ｐ２とは、異なる位置とされ、かつ、境界位置Ｐ１は、長辺柵１３上に位置するように設定されているので、マット１２Ａに印加される荷重は、長辺柵１４および長辺柵１３の双方に分散されて支持されることとなり、ベッドフレームにおいて十分な強度を確保することができる。【００４９】
以上の説明のように本第１実施形態の組立ベッドによれば、ベビーベッド１０は各構成部品に分解が可能であり、底板部（底部）の構成材は、ヘッドボード２０を形成自在なパーツを含み、分解した一対の長辺柵１３、１４を平置きで並設し、ヘッドボード２０を連接させてベッドフレームを構成し、このベッドフレーム上にマット１２を載置してシングルベッドに転用することができるので、組立ベッドをベビーベッドとして使用する必要が無くなった場合でも、ベビーベッド１０の構成部材を細かくばらすことなく、できるだけ大きな単位でそのまま用いてシングルベッドを構成することができ、組立作業箇所が少なく容易に組み替えが行えるとともに、資源の有効利用も図ることができる。
特に本第１実施形態の組立ベッドは、子供用シングルベッドから延長ベッドとしての大人用シングルベッドに組み替えることも可能となっており、より長期にわたって組立ベッドを使用することが可能となり、より一層資源の有効利用を図ることができる。【００５０】
［２］第２実施形態
以下の第２実施形態の説明においては、組立ベッドとして、ハイタイプのベビーベッド、シングルベッドの相互間で組み替え可能な組立ベッドを例として説明する。
図１７は、組立ベッドをベビーベッド（ハイタイプ）として組み立てた場合の斜視図である。
組立ベッドとしてのベビーベッド５０は、主として木製の部材を組み付けて構成したものであり、主たる構成部品として、後述する複数の部材で構成された底板部５１と、一対の長辺柵５２、５３と、一対の短辺柵５４、５５と、中底板部５６と、を備えている。そして、一対の長辺柵５２、５３と、一対の短辺柵５４、５５とで囲い柵を形成し、この囲い柵と底板部５１と、で、ベビーベッド５０として構成される。この場合において、底板部５１の下面側には、底板ベース５１Ａ（図１９参照）が配置されており、この底板ベース４１Ａの４隅部分には、それぞれキャスタ５１Ｂが設けられ、ベビーベッド５０を容易に移動可能としている。
底板部５１は、ベビーベッド５０の下部に設けられ、この底板部５１の手前側（図１７中、左側）の上には、例えばオムツやタオル等、乳児を世話する際に使用する備品を収納する収納部６０が形成されている【００５１】
中底板部５６は、成人の膝部から腰部あたりの高さに設けられ、一対の長辺柵５２、５３と、一対の短辺柵５４、５５とに支持されている。この中底板部５６上には、蒲団やマット（不図示）が配置され、これら蒲団またはマット上に乳児が寝かされることとなる。また、中底板部５６は、上述の囲い柵で囲まれることにより、乳児がベビーベッド５０から転落することが防止されて安全が確保される。
収納部６０の床部には、鏡面対称構造のＬ字形状を有する一対の床板パネル６１、６２が嵌め込まれ、収納部６０の奥側には、後述するベッドフレームパネル６３が背面パネルとして嵌め込まれている。【００５２】
図１８は、スライド柵として構成された長辺柵の分解斜視図である。
長辺柵５２は、スライド柵として構成されており、大別すると、スライド柵本体５０１と、スライド支持枠５０２と、を備えている。
スライド柵本体５０１は、上部フレーム５０３と、下部フレーム５０４と、一対のサイドフレーム５０５、５０６と、上部フレーム５０３と下部フレーム５０４との間で縦格子を形成する複数の縦格子フレーム５０７と、下部フレーム５０４にヒンジ連結されたロック機構本体５０８と、を備えている。
この場合において、後に詳述するが、サイドフレーム５０５の側部には、突条５０９が設けられ、サイドフレーム５０６の側部には、突条５１０が設けられている。
スライド支持枠５０２は、対向配置された一対のサイドパネル５１１、５１２と、一対のサイドパネル５１１，５１２の下部を支持する下部支持フレーム５１３と、一対のサイドパネル５１１，５１２の中間部を支持する中間支持フレーム５１４と、スライド柵本体５０１の装着時にスライド柵本体５０１が囲い枠内に倒れ込むのを防止するための一対の支持枠部５１５と、を備えている。
サイドパネル５１１には、スライド柵本体５０１の突条５０９を案内するガイド溝５２０が設けられ、サイドパネル５１２には、スライド柵本体５０１の突条５１０を案内するガイド溝５２１が設けられ、突条５０９、５１０が対応するガイド溝５２０、５２１内を案内されることにより、スライド柵本体５０１は、サイドパネル５１１とサイドパネル５１２との間を上下方向にスライドされることとなる。【００５３】
下部支持フレーム５１３は、平面視Ｕ字形状（コ字形状）とされており、底板ベース５１Ａの長辺に沿って梁状の板厚部５１３Ａが設けられた断面Ｌ字形状となっており、この板厚部５１３Ａの下面は、サイドパネル５１１の下面及びサイドパネル５１２の下面と面一とされている。これにより、ベビーベッド５０の構成時には、下部支持フレーム５１３のうち板厚部５１３Ａ以外のＵ字形状を有する厚さの薄い板薄部５１３Ｂが底板ベース５１Ａの上面に載置され、図示しないダボ及びダボ孔を介して固定されるとともに、板厚部５１３Ａ、サイドパネル５１１の下部及びサイドパネル５１２の下部が、底板ベース５１Ａの側面（長辺部および短辺部の一部）に対向して、当該側面を覆うように配置されることとなる。
また、中間支持フレーム５１４には、ロック機構本体５０８の後述するロック用係合片が回動しつつ嵌り、スライド柵本体５０１を上部固定位置（ロック位置）に保持するための一対の係止孔５２３Ａが設けられている。ここで、上部固定位置とは、スライド柵本体５０１の上端面の位置がサイドパネル５１１、５１２の上端面位置とほぼ等しくなる位置をいう。
また、中間支持フレーム５１４の裏面側には、中間支持フレーム５１４の幅方向に沿って、後述する中底板部５６を下方から支持するための中底板支持部５１４Ａが設けられている。【００５４】
長辺柵５３は、対向配置された一対のサイドフレーム５２１、５２２と、一対のサイドパネル５１１，５１２の上部を支持する上部支持フレーム５２３と、一対のサイドフレーム５２１，５２２の中間部を支持する中間支持フレーム５２４と、一対のサイドパネル５１１，５１２の下部を支持する下部支持フレーム５２５と、上部支持フレーム５２３と中間支持フレーム５２４との間で縦格子を形成する複数の縦格子フレーム５２６と、中間支持フレーム５２４と下部支持フレーム５２５との間に嵌め込まれ、固定された目隠し板５２７と、を備えている。
中間支持フレーム５２４の裏面側には、中間支持フレーム５２４の幅方向に沿って、後述する中底板部５６を下方から支持するための中底板支持部５２４Ａが設けられている。
下部支持フレーム５２５は、下部支持フレーム５１３と同様の構成を採っており、ベビーベッド５０の構成時には、下部支持フレーム５２５のうち板薄部５２５Ｂが底板ベース５１Ａの上面に載置され、図示しないダボ及びダボ孔を介して固定されるとともに、板厚部５１３Ａ、サイドパネル５１１の下部及びサイドパネル５１２の下部が、底板ベース５１Ａの側面（長辺部および短辺部の一部）に対向して、当該側面を覆うように配置されることとなる。
また、収納部６０の奥側に嵌め込まれたベッドフレームパネル６３、目隠し板５２７、サイドパネル５１１、サイドパネル５１２、中底板部５６および底板部５１で形成される空間内には、組立ベッドをシングルベッドとして組み替える際に用いられる後述する複数の部材（及び取扱説明書）が収納されている。【００５５】
次にベビーベッド５０の組み立てについて説明する。
図１９は、ベビーベッドの組立説明図（その１）である。
図２０は、ベビーベッドの組立説明図（その２）である。
図２１は、ベビーベッドの組立説明図（その３）である。
図２２は、ベビーベッドの組立説明図（その４）である。
ベビーベッド５０として組み立てる場合には、図１９に示すように、まず、底板ベース５１Ａに長辺柵５２および長辺柵５３を立設することとなる
具体的には、長辺柵５２の下部支持フレーム５１３の下面に設けられた図示しないボスの位置を底板ベース５１Ａの３個のボス孔５１Ｃの形成位置に合わせた状態で、長辺柵５２を底板ベース５１Ａの上方から押し込むことにより、図２０に示すように、長辺柵５２は、底板ベース５１Ａと係合し、自立した状態となる。
同様に、長辺柵５３の下部支持フレーム５２５の下面に設けられた図示しないボスの位置を底板ベース５１Ａの３個のボス孔５１Ｄの形成位置に合わせた状態で、長辺柵５３を底板ベース５１Ａの上方から押し込むことにより、図２０に示すように、長辺柵５３は、底板ベース５１Ａと係合し、自立した状態となる。
続いて、底板パネル６１および底板パネル６２を長辺柵５２の下部支持フレーム５１３の形状に沿って、手前側に嵌め込む。底板パネル６１は、底板パネル本体６１Ａと、長辺柵５２のサイドパネル５１１と長辺柵５３のサイドパネル５２１との間の隙間を介して、サイドパネル５１１及びサイドパネル５２１の外面側に配設され、サイドパネル５１１及びサイドパネル５２１の外面に係止される係止部６１Ｂと、を備えている。
したがって、底板パネル６１および底板パネル６２を長辺柵５２の下部支持フレーム５１３の形状に沿って、手前側に嵌め込むと同時に、係止部６１Ｂ、６２Ｂをサイドパネル５１１及びサイドパネル５２１の外面に係止する。【００５６】
続いて、ユーザは、短辺柵５４の上部フレーム５５１の下面の図示しないボス孔のうち２箇所をサイドパネル５１１の上端面のボス５６０に挿入するとともに、図示しないボス孔のうち他の２箇所のボス孔をサイドパネル５２１の上端面のボス孔５６１に挿入する。
この状態で、ユーザは、短辺柵５４を撓ませつつ、サイドフレーム５５４の背面側の４箇所のボス孔５５５が長辺柵５２のサイドパネル５１１の２箇所に設けられたボス５１８および長辺柵５３のサイドパネル５２１の２箇所に設けられたボス５２８に対向させて挿入し、完全に押し込んで係合させる。
同様に、ユーザは、短辺柵５５の上部フレーム５５１の下面の図示しないボス孔のうち２箇所をサイドパネル５１１の上端面のボス５６０に挿入するとともに、図示しないボス孔のうち他の２箇所のボス孔をサイドパネル５２１の上端面のボス孔５６１に挿入する。
この状態で、ユーザは、短辺柵５４を撓ませつつ、サイドフレーム５５４の背面側の４箇所のボス孔５５５が長辺柵５２のサイドパネル５１１の２箇所に設けられたボス５１８および長辺柵５３のサイドパネル５２１の２箇所に設けられたボス５２８に対向させて挿入し、完全に押し込んで係合させる。【００５７】
この段階では、短辺柵５４の下部（サイドフレーム５５４側）をサイドパネル５１１、５２１から離間する方向に引くことにより、ボス５１８、５２８とボス孔５５５との係合を容易に解くことが可能な状態となっている。すなわち、再組立時などにおいて、分解が容易な状態となっている。したがって、本実施形態では、サイドフレーム５５４に載置して５５２間に他の部材を嵌め込むことにより、短辺柵５４、５５が対応するサイドパネルから離間する方向へ引かれ、ボス５１８、５２８とボス孔５５５との係合が解かれるのを防止している。
この状態において、ベビーベッド５０は、図２２の下部に示すような状態となる。【００５８】
図２３は、収納した部品の収納状態説明図である。
次に、ベビーベッド５０では使用しない部品を収納する。
具体的には、ベッドフレームパネル６３、第１引出パネルユニット６４、第２引出パネルユニット６５、第１引出パネルユニット６４に対応する第１引出背面パネル６６、第２引出パネルユニット６５に対応する第２引出背面パネル６７、２個の手すりユニット６８、２枚の第１ベッドフレーム背面パネル６９及び２枚の第２ベッドフレーム背面パネル７０が収納される。
ここで、第１引出パネルユニット６４は、正面パネル７１と、正面パネル７１にヒンジ連結された右サイドパネル７２と、正面パネル７１にヒンジ連結された左サイドパネル７３と、を備えている。
同様に、第２引出パネルユニット６５は、正面パネル７４と、正面パネル７４にヒンジ連結された右サイドパネル７５と、正面パネル７４にヒンジ連結された左サイドパネル７６と、を備えている。
収納空間において、最も手前側（図２３中、左側）には、ベッドフレームパネル６３が立てられて収納され、このベッドフレームパネル６３の背面から奥側に向かって、第１引出パネルユニット６４、第１引出背面パネル６６、第２引出背面パネル６７、第２引出パネルユニット６５、第１背面パネル６７Ａ、２枚の第２ベッドフレーム背面パネル６７Ｂ、第１背面パネル６７Ａ及び２個の手すりユニット６６の順番で収納されている。【００５９】
図２４は、中底板部の形成状態の説明図である。
上述したように、ベビーベッド５０では使用しない部品を収納した後、中底板部５６を形成する。
中底板部５６は、大別すると、中底板ベース８１と、シングルベッド構成時にヘッドボードとして機能するヘッドボードパネルユニット８２と、で構成されている。
中底板ベース８１の下面の４隅部分には、それぞれキャスタ８１Ａが設けられ、この中底板ベース８１を引出として構成する際に、当該引出を容易に移動可能としている。
ヘッドボードパネルユニット８２は、ヘッドボード本体部８２Ａと、ヘッドボード本体部８２Ａの短辺側にヒンジ連結したウイング部８２Ｂ、８２Ｃを有し、ヘッドボードとして機能させる際には、これらのウイング部８２Ｂ、８２Ｃを引き起こして、一枚の板状部材として用いられる。
まず、中底板ベースを長辺柵５２の支持部材および長辺柵５３の支持部材のそれぞれの上面に載置して長辺柵５２、５３および短辺柵５４、５５で構成される囲い枠中に嵌め込み、固定支持する。【００６０】
続いて、ヘッドボードパネルユニット８２は、ウイング部８２Ｂ、８２Ｃをヘッドボード本体部８２Ａの下面側に折りたたんだ状態で、ウイング部８２Ｂ、８２Ｃを短辺柵５４のサイドフレーム５５４および短辺柵５５のサイドフレーム５５４のそれぞれの上面に載置して長辺柵５２、５３および短辺柵５４、５５で構成される囲い枠中に嵌め込み、固定支持する。
これらの結果、図１７に示したようなハイタイプのベビーベッド５０が完成される。
本第２実施形態の組立ベッドにおいても、組み替える際には、細かな部品にばらすことなく、各構成部材をできるだけ大きな単位で再利用する点を特徴としており、組替工程の簡略化および組替作業に要する時間の短縮化を図っている。【００６１】
図２５は、組立ベッドを引出付きシングルベッドに組み替え、マットレスを載置した場合の外観斜視図である。
図２６は、図２５の引出付きシングルベッドにおいて引出を引き出した場合の外観斜視図である。
図２７は、引出付きシングルベッドの分解斜視図である。
組立ベッドを引出付きのシングルベッド５０Ａに組み替える場合には、ベビーベッド５０の囲い柵を構成していた一対の長辺柵５２、５３を平置きにして短辺同士を連結してベッドフレーム本体を構成し、このベッドフレーム本体に第１ベッドフレーム背面パネル６９及び第２ベッドフレーム背面パネル７０を組み立てて構成した２枚のベッドフレーム背面パネルおよびベッドフレームパネル６３を組み込むことによりベッドフレームを構成する。
続いてベビーベッド５０の構成時に中底板部５６として構成していたヘッドボードパネルユニット８２を組み立ててヘッドボードを構成し、平置きにした長辺柵５３に連結する。
さらに中底板部５６と底板部５１との間に収納した部品、中底板ベース８１および底板ベース５１Ａにより、二つの引き出し８５、８６を構成し、ベッドフレームの下に入れ込むことで、引出付きのシングルベッド５０Ａとしている。【００６２】
したがって、長辺柵５２を構成するサイドパネル５１２、５１３、下部支持フレーム５１３、長辺柵５３のサイドパネル５２１、５２２、下部支持フレーム５２５がそのままシングルベッド５０Ａの脚部を構成することとなり、容易に組み替えが行えるようになっている。
この場合において、長辺柵５２、５３の高さは、ヘッドボードとして組み立てたヘッドボードパネルユニット８２の幅と等しくなるようにされている。すなわち、長辺柵５２あるいは長辺柵５３の高さは、一般的にシングルベッドとして用いられる幅およびハイタイプのベビーベッドの高さに準じた１１０ｃｍ前後の寸法とされている。
次に引出付きシングルベッドの組み立てについて説明する。
ベビーベッド５０をシングルベッド５０Ａに転用する際には、ベビーベッド５０を分解した一対の長辺柵５２、５３を平置きで並設し、ヘッドボードパネル（ヘッドボード）を連接させてベッドフレームを構成し、このベッドフレーム上にマット９０を載置することにより行う。【００６３】
図２８は、引出の組立説明図（その１）である。
図２９は、引出の組立説明図（その２）である。
次に引出の組み立てについて説明する。
まず、長辺柵５２に収納される第１引出８５の組み立てについて説明する。
第１引出８５を組み立てる場合には、第１引出パネルユニット６４を構成している正面パネル７１の裏面にヒンジ連結されている右サイドパネル７２および左サイドパネル７３を左右に開いて、全体としてπ字形状とする。次に第１引出パネルユニット６４の右サイドパネル７２の下面のボス７２Ｂを中底板ベース８１の対応するボス孔８１Ｂに嵌め込むとともに、左サイドパネル７３の下面のボス７３Ｂを中底板ベース８１の対応するボス孔８１Ｃに嵌め込む。
続いて第１引出背面パネル６６の係合凸部６６Ａを、中底板ベース８１の挿入孔８１Ｄ内に挿入し、楔部材８９を係合凸部６６Ａの係合孔６６Ｂに嵌め込み、第１引出背面パネル６６を中底板ベース８１に固定して、キャスタ付きの第１引出８５が完成する。
同様に、長辺柵５３に収納される第２引出８６を組み立てる。第２引出８６を組み立てる場合には、第２引出パネルユニット６５を構成している正面パネル７４の裏面にヒンジ連結されている右サイドパネル７５および左サイドパネル７６を左右に開いて、全体としてπ字形状とし、第２引出パネルユニット６５の下面に設けられたボスを底板ベース５１Ａの対応するボス孔に嵌め込む。続いて第２引出背面パネル６７の係合凸部を底板ベース５１Ａの挿入孔内に挿入し、楔部材を係合凸部の係合孔にはめ込むことにより第２引出パネルユニット６５を底板ベース５１Ａに固定し、キャスタ付きの第２引出８６とする。【００６４】
次にベッドフレームの組み立てについて説明する。
まず、ヘッドボードパネルを組み立てる。ベビーベッド５０の中底板部５６（底部）を構成していたヘッドボードパネルユニット８２のウイング部８２Ｂ、８２Ｃを開いて、平板状とし、ヘッドボードパネルとする。
次に長辺柵５３の上部支持フレーム５２３および一対のサイドパネル５２１、５２２の上面に背面パネル８７を取り付ける。【００６５】
図３０は、背面パネルの組立説明図である。
これに先立ち、第１背面パネル６６及び第２背面パネル６７を一対の棒状の連結部材８７Ａにより連結して背面パネル８７を構成し、合計２枚の背面パネル８７を構成する。そして、一方の背面パネル８７を長辺柵５３の上部支持フレーム５２３および一対のサイドパネル５１１、５１２の上面に取り付ける。
続いて、長辺柵５２のロック機構本体５０８の取手部５０８Ａをロック機構本体５０８の係合部材５０８Ｂからねじをゆるめることにより取り外すとともに、スライドパネル５０１を下部支持フレーム５１３側に突き当たるまでスライドさせる。
さらに第１背面パネル６７Ａと第２背面パネル６７Ｂを一対の棒状の連結部材８７Ａにより連結して一枚の背面パネル８７を構成し、図２７に示すように、この背面パネル８７を長辺柵５３の上部支持フレーム５２３および一対のサイドパネル５２１、５２２の上面に取り付ける。【００６６】
次に長辺柵５３のサイドパネル５２２の図示しない取付穴にヘッドボードパネルユニット８２を組み付ける。
続いて、長辺柵５３のサイドパネル５２１側に、長辺柵５２のサイドパネル５１１が対向し密接するように、長辺柵５３および長辺柵５２を平置きにする。
これによりベッドフレームの基本構造が完成するので、長辺柵５３の下部支持フレーム５２５により形成されている開口中に、上述した第２引出８６を収納する。
同様に、長辺柵５２の下部支持フレームにより形成されている開口中に、第１引出８５を収納する。
続いて、スライドパネル５０１および背面パネル８７により形成される開口中に、短辺柵５４、５５などのシングルベッド５０Ａの組立に必要のない部品を収納し、当該開口にベッドフレームパネル６３を嵌め込んで、ベッドフレームを完成させる。
続いて、図２５に示すように、手すり６８の脚部６８Ａ（図２３参照）をベッドフレームの上面に配置し、脚部６８Ａの上にマット９０を載置することにより、図２５に示したシングルベッド５０Ａとする。【００６７】
以上の説明のように、本第２実施形態によっても、ベビーベッド５０は、長辺柵５２、５３等の各構成部材に分解が可能であり、底部の構成材はヘッドボードパネル（ヘッドボードパネルユニット８２）を形成自在なパーツを含み、分解した一対の長辺柵５２、５３を平置きで並設し、ヘッドボードパネルユニット８２を連接させてベッドフレームを構成し、このベッドフレーム上にマット９０を載置してシングルベッド５０Ａに転用することができるので、組立ベッドをベビーベッドとして使用する必要が無くなった場合でも、ベビーベッド５０の構成部材を細かくばらすことなく、できるだけ大きな単位でそのまま用いてシングルベッド５０Ａを構成することができ、組立作業箇所が少なく容易に組み替えが行えるとともに、資源の有効利用も図ることができる。【００６８】
［３］実施形態の変形例
以上の説明においては、各構成部材の締結を基本的にボス及びボス孔を用いて行っていたが、ねじ−ねじ穴、ボルト−ナット等他の締結具を用いて組み立てるように構成することも可能である。
【図１】
2010026665.tif 000003
【図２】
2010026665.tif 000004
【図３】
2010026665.tif 000005
【図４】
2010026665.tif 000006
【図５】
2010026665.tif 000007
【図６】
2010026665.tif 000008
【図７】
2010026665.tif 000009
【図８】
2010026665.tif 000010
【図９】
2010026665.tif 000011
【図１０】
2010026665.tif 000012
【図１１】
2010026665.tif 000013
【図１２】
2010026665.tif 000014
【図１３】
2010026665.tif 000015
【図１４】
2010026665.tif 000016
【図１５】
2010026665.tif 000017
【図１６】
2010026665.tif 000018
【図１７】
2010026665.tif 000019
【図１８】
2010026665.tif 000020
【図１９】
2010026665.tif 000021
【図２０】
2010026665.tif 000022
【図２１】
2010026665.tif 000023
【図２２】
2010026665.tif 000024
【図２３】
2010026665.tif 000025
【図２４】
2010026665.tif 000026
【図２５】
2010026665.tif 000027
【図２６】
2010026665.tif 000028
【図２７】
2010026665.tif 000029
【図２８】
2010026665.tif 000030
【図２９】
2010026665.tif 000031
【図３０】
2010026665.tif 000032
【国際調査報告】
2010026665.tif 000033
2010026665.tif 000034
2010026665.tif 000035
2010026665.tif 000036